(57)【要約】【課題】衝突音を隣戸や下階に伝播しにくい構造を備えた遮音性能の良いキッチンパネルなどを提供する。【解決手段】本発明は、キッチン設備の下部設備と上部設備との間の戸境壁の壁面に取り付けられるキッチンパネル１において、表面パネル２と遮音板３とクッション性を有した遮音材４とを備え、遮音板３が、一方の面に形成されて遮音板の端面に延長する凹部８によって互いに区画された複数の凸部９を備え、遮音材４が凹部８を覆うように遮音板３の一方の面に設けられ、遮音板３の他方の面と表面パネル２の裏面とが互いに接合されたことを特徴とする。【選択図】図１
2008303675.tif 000002
【特許請求の範囲】
【請求項１】
キッチン設備の下部設備と上部設備との間の戸境壁の壁面に取り付けられるキッチンパネルにおいて、表面パネルと遮音部とクッション性を有した遮音材とを備え、遮音部は、表面パネルと遮音材との間に点在して設けられた複数の遮音板により形成されたことを特徴とするキッチンパネル。
【請求項２】
キッチン設備の下部設備と上部設備との間の戸境壁の壁面に取り付けられるキッチンパネルにおいて、表面パネルと遮音板とクッション性を有した遮音材とを備え、遮音板が、一方の面に形成されて遮音板の端面に延長する凹部によって互いに区画された複数の凸部を備え、遮音材が凹部を覆うように遮音板の一方の面に設けられ、遮音板の他方の面と表面パネルの裏面とが互いに接合されたことを特徴とするキッチンパネル。
【請求項３】
複数の凸部が、凹部としての格子状溝により区画されて形成されたことを特徴とする請求項２に記載のキッチンパネル。
【請求項４】
請求項１ないし請求項３のいずれかのキッチンパネルが、遮音材側を戸境壁の壁面に向けて戸境壁の壁面に取り付けられたことを特徴とするキッチン構造。
【請求項５】
下部設備の背面を戸境壁の壁面より離し、下部設備の背面と戸境壁の壁面とで挟まれるようにゴムパッキンが設けられたことを特徴とする請求項４に記載のキッチン構造。
【請求項６】
下部設備を設置する床を備え、床が、床スラブと、床スラブに設置された防振具付きの床材支持具と、床材支持具で支持された床材とを備え、床材は、端面が戸境壁の壁面と隙間を隔てて対向するように設置されたことを特徴とする請求項４又は請求項５に記載のキッチン構造。
【発明の詳細な説明】
【技術分野】
【０００１】
本発明は、遮音性能の良いキッチンパネル、及び、キッチン設備の下部設備の構造を複雑にすることなしに遮音性能の良いキッチン構造に関する。
【背景技術】
【０００２】
キッチン設備の下部設備と上部設備との間の壁面に取り付けられるキッチンパネルが知られている（例えば、特許文献１参照）。このキッチンパネルは、壁面にビス止めされた上下の支持具に取り付けられる。また、キッチン設備の下部設備として、シンク下のディスポーザ設置空間を囲む部分に遮音部を設けた構成の下部設備が知られている（例えば、特許文献２参照）。
【特許文献１】特開平９−３７８６３号公報
【特許文献２】特開２００１−２４５７３７号公報
【発明の開示】
【発明が解決しようとする課題】
【０００３】
マンションなどの集合住宅では、キッチン設備は、キッチン設備の背面が戸境壁と向かい合うように設置されるので、上述したキッチンパネルでは、物がキッチンパネルに衝突した場合の衝突音が上下の支持具及び戸境壁を経由して隣戸や下階に伝播してしまう。
また、遮音部を備えた下部設備の場合、遮音部を設けるために下部設備の構造が複雑になる。
本発明は、上記課題に鑑みてなされたもので、衝突音を隣戸や下階に伝播しにくい構造を備えた遮音性能の良いキッチンパネル、及び、下部設備の構造を複雑にすることなく下部設備で生じた音を隣戸や下階に伝播しにくい構造を備えた遮音性能の良いキッチン構造を提供する。
【課題を解決するための手段】
【０００４】
本発明のキッチンパネルは、キッチン設備の下部設備と上部設備との間の戸境壁の壁面に取り付けられるキッチンパネルにおいて、表面パネルと遮音部とクッション性を有した遮音材とを備え、遮音部は、表面パネルと遮音材との間に点在して設けられた複数の遮音板により形成されたことを特徴とする。
本発明のキッチンパネルは、キッチン設備の下部設備と上部設備との間の戸境壁の壁面に取り付けられるキッチンパネルにおいて、表面パネルと遮音板とクッション性を有した遮音材とを備え、遮音板が、一方の面に形成されて遮音板の端面に延長する凹部によって互いに区画された複数の凸部を備え、遮音材が凹部を覆うように遮音板の一方の面に設けられ、遮音板の他方の面と表面パネルの裏面とが互いに接合されたことも特徴とする。
複数の凸部が、凹部としての格子状溝により区画されて形成されたことも特徴とする。
本発明のキッチン構造は、上記キッチンパネルが、遮音材側を戸境壁の壁面に向けて戸境壁の壁面に取り付けられたことを特徴とする。
下部設備の背面を戸境壁の壁面より離し、下部設備の背面と戸境壁の壁面とで挟まれるようにゴムパッキンが設けられたことも特徴とする。
下部設備を設置する床を備え、床が、床スラブと、床スラブに設置された防振具付きの床材支持具と、床材支持具で支持された床材とを備え、床材は、端面が戸境壁の壁面と隙間を隔てて対向するように設置されたことも特徴とする。
【発明の効果】
【０００５】
本発明のキッチンパネルによれば、表面パネルと遮音材との間に点在して設けられた複数の遮音板により形成された遮音部を備えたので、衝突音を隣戸や下階に伝播しにくい構造を備えた遮音性能の良いキッチンパネルを得ることができる。
本発明のキッチンパネルによれば、一方の面に形成されて遮音板の端面に延長する凹部によって互いに区画された複数の凸部を備えた遮音板と、遮音材が凹部を覆うように遮音板の一方の面に設けられた遮音材とを備えたので、衝突音を隣戸や下階に伝播しにくい構造を備えた遮音性能の良いキッチンパネルを得ることができる。
遮音板が、格子状溝を備えたので、さらに遮音性能の良いキッチンパネルを得ることができる。
本発明のキッチン構造によれば、キッチンパネルが、遮音材側を戸境壁の壁面に向けて戸境壁の壁面に取り付けられたので、下部設備の構造を複雑にすることなく下部設備で生じた音を隣戸や下階に伝播しにくい構造を備えた遮音性能の良いキッチン構造が得られる。
また、下部設備の背面と戸境壁の壁面とで挟まれるようにゴムパッキンが設けられたので、下部設備の構造を複雑にすることなく下部設備で生じた音を隣戸や下階に伝播しにくい構造を備えた遮音性能の良いキッチン構造が得られる。
さらに、下部設備を床材支持具で支持したので、下部設備の構造を複雑にすることなく下部設備で生じた音を隣戸や下階に伝播しにくい構造を備えた遮音性能の良いキッチン構造が得られる。
【発明を実施するための最良の形態】
【０００６】
最良の形態１
図１乃至図５は最良の形態１を示し、図１は戸境壁に取り付けられたキッチンパネルの断面を示し、図２はキッチン設備を示す正面図、図３（ａ）はキッチンパネルを示し、図３（ｂ）はキッチンパネルを分解して示し、図４はキッチンパネルを用いたキッチン構造の断面を示し、図５はキッチン構造の遮音性能計測結果を示す。
【０００７】
図２に示すように、キッチン設備５０は、下部設備５１と、上部設備５２と、キッチンパネル１とを備える。下部設備５１は、流し台５３、ガス台５４、調理台５５、収納部（地袋）５６を備える。上部設備５２は、フード５７、収納部（天袋）５８を備える。
【０００８】
図１に示すように、キッチンパネル１は、表面パネル２と、遮音板３と、遮音材４とにより形成される。表面パネル２は、基板５と表面板６とにより形成される。基板５はケイ酸カルシウム板やスレート板により形成される。表面板６はメラミン化粧板のような化粧板により形成される。表面パネル２は、基板５の表面と表面板６の裏面とが接着剤により接合されて形成される。遮音板３は、厚さ１０ｍｍ程度の中密度圧縮合板（ＭＤＦと呼ばれる。）により形成された矩形状平面板の一方の面３ａに、一方の面３ａから他方の面３ｂに向けて延長するとともに遮音板３の端面７（図３参照）に延長する凹部としての溝８によって互いに区画された複数の凸部９を備えた構成である。図３（ｂ）に示すように、例えば、遮音板３の一方の面３ａに、面３ａの縦方向に延長する溝８が面３ａの横方向に沿って等間隔に複数並べられて形成されるともに、面３ａの横方向に延長する溝８が面３ａの縦方向に沿って等間隔に複数並べられて形成される。即ち、遮音板３は、一方の面３ａに格子状に形成された格子状溝８Ａを備え、格子状溝８Ａにより互いに区画された複数の凸部９を備えた構成である。例えば、格子状溝８Ａの溝幅ａを１ｍｍ、格子状溝８Ａの横方向に延長する溝８同士の間隔ｂを１５ｍｍ、格子状溝８Ａの縦方向に延長する溝８同士の間隔ｃを３０ｍｍとした。遮音材４は、スポンジやウレタンあるいは不織布などにより形成された厚さ２ｍｍ程度のクッション材１０とクッション材１０の一方の面１１に熱融着などで取り付けられた膜材１２とにより形成される。
【０００９】
キッチンパネル１は、表面パネル２の基板５の裏面１３と遮音板３の他方の面３ｂとが接着剤により互いに接合され、遮音板３の一方の面３ａと遮音材４のクッション材１０の他方の面１１ａとが接着剤により互いに接合されて形成される。
【００１０】
クッション材１０の一方の面１１に設けられた膜材１２と戸境壁１７の壁面１８とが接着剤１９により互いに接合されたことによって、キッチンパネル１が、遮音材４側を戸境壁１７の壁面１８に向けて、上部設備５２と下部設備５３との間の戸境壁１７の壁面１８に取り付けられる。この場合、遮音材４が膜材１２を備えたので、接着剤のクッション材１０への含浸を防ぐことができ、接着剤によってキッチンパネル１の遮音材４側を壁面１８に確実に取付けることができる。
【００１１】
図４を参照し、キッチン構造を説明する。下部設備５１が設置される床４０は、床スラブ４１と、床スラブ４１に設置される防振具付きの床材支持具４２と、床材支持具４２により支持された床材４３とにより形成される。
【００１２】
床支持具４２は、床材４３が取付けられる台座２３と台座２３の上下面間に延長して設けられたナット部２４とナット部２４が螺着されてナット部２４を上下に移動可能とする支柱２５と支柱２５の下部がはめ込まれて支柱２５に伝わる振動を吸収するゴム等で形成された防振具としてのクッション部材２６とを具備して構成される。尚、部屋の壁際の床を支持する床支持具４２としては、台座２３の代わりに根太２３Ａを備えたものを用いる。
【００１３】
床材４３の構成は特に限定されないが、例えば、レベル調整用のパーティクルボード４４とパーティクルボード４４の上に設けられた合板４５と合板４５の上に設けられたフローリング材４６とで構成される。
【００１４】
床材４３は、端面４７が、鉄筋コンクリート製の戸境壁１７の壁面１８から数ｍｍ程度（例えば、３〜５ｍｍ程度）離れるように設置される。つまり、床材４３の端面４７と戸境壁１７の壁面１８とが数ｍｍ程度の隙間Ｓを隔てて対向するように床材４３が設置される。
【００１５】
下部設備５３の背面６１あるいは下部設備の背面６１と対向する戸境壁１７にゴムパッキン６２が取り付けられ、背面６１に取り付けられたゴムパッキン６２を戸境壁１７に突き当てるか、戸境壁１７に取り付けられたゴムパッキン６２に背面６１を突き当てることにより、背面６１が戸境壁１７と向かい合うように下部設備５３を設置する。即ち、下部設備５３の背面６１を戸境壁１７の壁面１８より離し、下部設備５３の背面６１と戸境壁１７の壁面１８とで挟まれるようにゴムパッキン６２が設けられる。
【００１６】
ゴムパッキン６２の厚さは、キッチンパネル１の厚さより厚い寸法のものを用いる。このため、下部設備５３が設置された場合、下部設備５３の背立ち上がり部６３の背面６４とキッチンパネル１との間には隙間が生じるので、この隙間をシール材やテープのような封止材６５で塞ぐ。
【００１７】
最良の形態１によれば、キッチンパネル１により、鍋やお玉やまな板のような調理器具、その他の物がキッチンパネル１の表面に衝突した場合の衝突音が遮音板３及び遮音材４によって遮音されるので、衝突音が隣戸や下階へ伝播するのを抑えることができ、遮音性能の良いキッチン構造が得られる。特に、遮音板３が、遮音板３の端面７に延長する格子状溝８Ａを備えたので、表面パネル２から伝播した音（固体音）が格子状溝８Ａによって周囲の凸部への横方向に伝播する（固体音レベルが小さくなる）ので、遮音板３全体での固体音レベルの通過エネルギーが減少する。よって、隣戸や下階への音の伝播量を抑えることができ、遮音性が向上する。また、遮音板３を安価なＭＤＦで形成したので、板として扱えるために取り扱いも容易となり、安価で遮音性能の良いキッチンパネル１が得られる。
【００１８】
最良の形態１によれば、床材４３は、端面４７が、戸境壁１７の壁面１８から数ｍｍ程度離れるように設置され、床材４３と戸境壁１７との縁を切ったので、下部設備５３で生じた音が戸境壁１７及び床スラブ４１に伝播されにくくなるので、遮音性能の良いキッチン構造が得られる。
最良の形態１によれば、下部設備５３の背面６１と戸境壁１７の壁面１８とで挟まれるようにゴムパッキン６２を設置したので、下部設備５３で生じた音がゴムパッキン６２により吸収されて音が戸境壁１７及び床スラブ４１に伝播されにくくなるので、遮音性能の良いキッチン構造が得られる。
最良の形態１によれば、下部設備５３を床材支持具４２で支持したので、下部設備５３で生じた音が床材支持具４２のクッション部材２６により吸収されて床スラブ４１及び戸境壁１７に伝播されにくくなるので、遮音性能の良いキッチン構造が得られる。
従って、下部設備５３の構造を複雑にすることなく下部設備５３で生じた音が隣戸や下階に伝播しにくい構造を備えた遮音性能の良いキッチン構造が得られる。
【００１９】
図５に、最良の形態１のキッチンパネルを備えたキッチン構造の遮音性能測定結果を示す。図５では、表面パネル２のみにより形成されたキッチンパネルの裏面を壁面１８に取り付けたキッチン構造の遮音性能（対策無しのグラフで示す。）、表面パネル２と遮音板としての石膏ボードと石膏ボードの裏面の４隅に設けられた遮音材としての防振ゴムとにより形成されたキッチンパネルの防振ゴムを壁面１８に取り付けたキッチン構造（石膏ボード＋防振ゴムのグラフで示す。）、表面パネル２と遮音板としてのフェルト材とにより形成されたキッチンパネルのフェルト材を壁面１８に取り付けたキッチン構造（フェルト材のグラフで示す。）、最良の形態のキッチンパネル１を壁面１８に取り付けたキッチン構造（ＭＤＦスリット材のグラフで示す。）の遮音性能測定結果を示した。図５（ａ）は上述した各キッチン構造のキッチンパネルの表面を打撃した場合に隣戸に伝播した音圧レベルを測定した結果である。図５（ｂ）は上述した各キッチン構造のキッチンパネルの表面を打撃した場合に下階に伝播した音圧レベルを測定した結果である。図５（ａ）からわかるように、最良の形態のキッチン構造は、隣戸に伝播する音圧レベルが低く、遮音性能に優れる。図５（ｂ）からわかるように、最良の形態のキッチン構造は、下階に伝播する音圧レベルが特に５００Ｈｚ帯域以上で小さく、遮音性能に優れる。
【００２０】
最良の形態２
図６乃至図７は最良の形態２を示し、図６は戸境壁に取り付けられたキッチンパネルの断面を示し、図７はキッチンパネルを分解して示す。
最良の形態２のキッチンパネル１は、表面パネル２と遮音材４との間に遮音部７０を設ける。つまり、表面パネル２と遮音材４との間に点在して設けられた複数の遮音板３Ａにより形成された遮音部７０を備えたキッチンパネル１とした。この遮音部７０は、例えば、表面パネル２と遮音材４との間に格子状溝８Ａが形成されるように表面パネル２と遮音材４との間に溝８を隔てて複数の遮音板３Ａを個別に並べて設置することにより形成される。最良の形態２のキッチンパネル１によっても、最良の形態１と同様の効果が得られる。
【産業上の利用可能性】
【００２１】
最良の形態１における格子状溝８Ａが形成された一方の面３ａと表面パネル２の基板５の裏面１３とを互いに接合した構成のキッチンパネル１でもよい。
遮音板３の構造を一体に備えた表面パネルを用いたキッチンパネル１でもよい。
遮音板３としては、一方の面に形成されて端面７に延長する凹部によって互いに区画された複数の凸部９を備えた構造の板を用いればよい。
また、本発明のキッチンパネルやキッチン構造は、戸境壁１７に配置される洗面台の上方の戸境壁１７の壁面に取り付けるパネルや洗面台周りの構造にも適用できる。
溝８は格子溝８Ａを形成する溝でなくともよく、少なくとも、キッチンパネルの内側からキッチンパネルの端面に延長した溝であればよい。
【図面の簡単な説明】
【００２２】
【図１】キッチンパネルの断面図（最良の形態１）。
【図２】キッチン設備を示す正面図（最良の形態１）。
【図３】（ａ）はキッチンパネルの斜視図、（ｂ）はキッチンパネルの分解斜視図（最良の形態１）。
【図４】キッチン構造の断面図（最良の形態１）。
【図５】キッチン構造の遮音性能計測結果を示す図（最良の形態１）。
【図６】キッチンパネルの断面図（最良の形態２）。
【図７】キッチンパネルの分解斜視図（最良の形態２）。
【符号の説明】
【００２３】
１  キッチンパネル、２  表面パネル、３；３Ａ  遮音板、３ａ  一方の面、
４  遮音材、７  遮音板の端面、８  凹部、８Ａ  格子状溝、９  凸部、
１７  戸境壁、１８  壁面、４０  床、４１  床スラブ、４２  床材支持具、
４３  床材、５０  キッチン設備、５２  上部設備、５３  下部設備、
７０  遮音部。
【図１】
2008303675.tif 000003
【図２】
2008303675.tif 000004
【図３】
2008303675.tif 000005
【図４】
2008303675.tif 000006
【図５】
2008303675.tif 000007
【図６】
2008303675.tif 000008
【図７】
2008303675.tif 000009